(57)【要約】【課題】  回路基板の小型化を実現し、コスト上昇を抑制することが可能な表示装置を提供する。【解決手段】  表示手段１０の表示画面１１上に重ねて配置されるタッチパネル４０と、表示手段１０の背後側に配置される回路基板２０と、この回路基板２０に実装される第１のコネクタ２１と、回路基板２０に実装（配設）される第２のコネクタ２２と、表示手段１０と第１のコネクタ２１とを接続するための第１のフレキシブル配線板Ｆ１と、タッチパネル４０と第２のコネクタ２２とを接続するための第２のフレキシブル配線板Ｆ２とを備え、回路基板２０には、第１のフレキシブル配線板Ｆ１の一部が貫通する貫通孔部２３が設けられ、タッチパネル４０から第２のコネクタ２２へと引き回し配設される第２のフレキシブル配線板Ｆ２は、回路基板２０を避けるように引き回し配設される。【選択図】図１
2016057668.tif 000002
【特許請求の範囲】
【請求項１】
所定情報を表示する表示手段と、
前記表示手段の表示画面上に重ねて配置されるタッチパネルと、
前記表示手段の背後側に配置される回路基板と、
前記回路基板に配設される第１のコネクタと、
前記第１のコネクタに隣接するように前記回路基板に配設される第２のコネクタと、
前記表示手段と前記第１のコネクタとを接続するための第１の配線部材と、
前記タッチパネルと前記第２のコネクタとを接続するための第２の配線部材とを備え、
前記回路基板には、前記表示手段から前記第１のコネクタへと引き回し配設される前記第１の配線部材の一部が貫通する貫通孔部が設けられ、
前記タッチパネルから前記第２のコネクタへと引き回し配設される前記第２の配線部材は、前記回路基板を避けるように引き回し配設されることを特徴とする表示装置。
【請求項２】
所定情報を表示する表示手段と、
前記表示手段の表示画面上に重ねて配置されるタッチパネルと、
前記表示手段の背後側に配置される回路基板と、
前記回路基板に配設される第１のコネクタと、
前記第１のコネクタに隣接するように前記回路基板に配設される第２のコネクタと、
前記タッチパネルと前記第１のコネクタとを接続するための第１の配線部材と、
前記表示手段と前記第２のコネクタとを接続するための第２の配線部材とを備え、
前記回路基板には、前記タッチパネルから前記第１のコネクタへと引き回し配設される前記第１の配線部材の一部が貫通する貫通孔部が設けられ、
前記表示手段から前記第２のコネクタへと引き回し配設される前記第２の配線部材は、前記回路基板を避けるように引き回し配設されることを特徴とする表示装置。
【請求項３】
所定情報を表示する表示手段と、
前記表示手段に照明光を供給するための光源が配設された光源基板と、
前記表示手段の背後側に配置される回路基板と、
前記回路基板に配設される第１のコネクタと、
前記第１のコネクタに隣接するように前記回路基板に配設される第２のコネクタと、
前記光源基板と前記第１のコネクタとを接続するための第１の配線部材と、
前記表示手段と前記第２のコネクタとを接続するための第２の配線部材とを備え、
前記回路基板には、前記光源基板から前記第１のコネクタへと引き回し配設される前記第１の配線部材の一部が貫通する貫通孔部が設けられ、
前記表示手段から前記第２のコネクタへと引き回し配設される前記第２の配線部材は、前記回路基板を避けるように引き回し配設されることを特徴とする表示装置。
【請求項４】
所定情報を表示する表示手段と、
前記表示手段に照明光を供給するための光源が配設された光源基板と、
前記表示手段の背後側に配置される回路基板と、
前記回路基板に配設される第１のコネクタと、
前記第１のコネクタに隣接するように前記回路基板に配設される第２のコネクタと、
前記表示手段と前記第１のコネクタとを接続するための第１の配線部材と、
前記光源基板と前記第２のコネクタとを接続するための第２の配線部材とを備え、
前記回路基板には、前記表示手段から前記第１のコネクタへと引き回し配設される前記第１の配線部材の一部が貫通する貫通孔部が設けられ、
前記光源基板から前記第２のコネクタへと引き回し配設される前記第２の配線部材は、前記回路基板を避けるように引き回し配設されることを特徴とする表示装置。
【発明の詳細な説明】
【技術分野】
【０００１】
本発明は、所定情報を表示する表示手段を備えた表示装置に関するものである。
【背景技術】
【０００２】
従来より、この種の表示装置にあっては、例えば下記特許文献１に記載されているものが知られている。この特許文献１に記載の表示装置は、図４に示すように所定情報を表示する液晶表示パネル（表示手段）１と、この液晶表示パネル１の背後側に配置される硬質の回路基板２と、この回路基板２の端部２ａに実装される第１のコネクタ３と、液晶表示パネル１と第１のコネクタ３とを電気的に接続するための第１のフレキシブル配線板４と、液晶表示パネル１と回路基板２等を収容する筐体５とを備えているものである。
【先行技術文献】
【特許文献】
【０００３】
【特許文献１】特開２００８−１５１９８１号公報
【発明の概要】
【発明が解決しようとする課題】
【０００４】
ところで、上述した従来の表示装置において、液晶表示パネル１上にタッチパネル６が重ねて配置されるような構成を採用したとする。このとき、図４に示すようにタッチパネル接続用の第２のコネクタ７が端部２ａとは反対側の回路基板２の他の端部２ｂに実装され、さらに第１のフレキシブル配線板４とは別部材の第２のフレキシブル配線板８が第１のフレキシブル配線板４の引き回し方向とは異なる方向に引き回された状態にて、タッチパネル６と第２のコネクタ７とを電気的に接続しているような場合にあっては、第１のコネクタ３と第２のコネクタ７は分散された状態で回路基板２に実装されるため、回路基板２のデッドスペース（コネクタ実装エリア）が必要以上に広範囲となって回路基板２の小型化を阻害する要因となっていた。
そこで本発明は、前述の課題に対して対処するため、回路基板の小型化を実現し、コスト上昇を抑制することが可能な表示装置の提供を目的とするものである。
【課題を解決するための手段】
【０００５】
本発明は、所定情報を表示する表示手段と、前記表示手段の表示画面上に重ねて配置されるタッチパネルと、前記表示手段の背後側に配置される回路基板と、前記回路基板に配設される第１のコネクタと、前記第１のコネクタに隣接するように前記回路基板に配設される第２のコネクタと、前記表示手段と前記第１のコネクタとを接続するための第１の配線部材と、前記タッチパネルと前記第２のコネクタとを接続するための第２の配線部材とを備え、前記回路基板には、前記表示手段から前記第１のコネクタへと引き回し配設される前記第１の配線部材の一部が貫通する貫通孔部が設けられ、前記タッチパネルから前記第２のコネクタへと引き回し配設される前記第２の配線部材は、前記回路基板を避けるように引き回し配設されることを特徴とする。
【０００６】
また本発明は、所定情報を表示する表示手段と、前記表示手段の表示画面上に重ねて配置されるタッチパネルと、前記表示手段の背後側に配置される回路基板と、前記回路基板に配設される第１のコネクタと、前記第１のコネクタに隣接するように前記回路基板に配設される第２のコネクタと、前記タッチパネルと前記第１のコネクタとを接続するための第１の配線部材と、前記表示手段と前記第２のコネクタとを接続するための第２の配線部材とを備え、前記回路基板には、前記タッチパネルから前記第１のコネクタへと引き回し配設される前記第１の配線部材の一部が貫通する貫通孔部が設けられ、前記表示手段から前記第２のコネクタへと引き回し配設される前記第２の配線部材は、前記回路基板を避けるように引き回し配設されることを特徴とする。
【０００７】
また本発明は、所定情報を表示する表示手段と、前記表示手段に照明光を供給するための光源が配設された光源基板と、前記表示手段の背後側に配置される回路基板と、前記回路基板に配設される第１のコネクタと、前記第１のコネクタに隣接するように前記回路基板に配設される第２のコネクタと、前記光源基板と前記第１のコネクタとを接続するための第１の配線部材と、前記表示手段と前記第２のコネクタとを接続するための第２の配線部材とを備え、前記回路基板には、前記光源基板から前記第１のコネクタへと引き回し配設される前記第１の配線部材の一部が貫通する貫通孔部が設けられ、前記表示手段から前記第２のコネクタへと引き回し配設される前記第２の配線部材は、前記回路基板を避けるように引き回し配設されることを特徴とする。
【０００８】
また本発明は、所定情報を表示する表示手段と、前記表示手段に照明光を供給するための光源が配設された光源基板と、前記表示手段の背後側に配置される回路基板と、前記回路基板に配設される第１のコネクタと、前記第１のコネクタに隣接するように前記回路基板に配設される第２のコネクタと、前記表示手段と前記第１のコネクタとを接続するための第１の配線部材と、前記光源基板と前記第２のコネクタとを接続するための第２の配線部材とを備え、前記回路基板には、前記表示手段から前記第１のコネクタへと引き回し配設される前記第１の配線部材の一部が貫通する貫通孔部が設けられ、前記光源基板から前記第２のコネクタへと引き回し配設される前記第２の配線部材は、前記回路基板を避けるように引き回し配設されることを特徴とする。
【発明の効果】
【０００９】
本発明によれば、初期の目的を達成でき、回路基板の小型化を実現し、コスト上昇を抑制することが可能な表示装置を提供できる。
【図面の簡単な説明】
【００１０】
【図１】本発明の第１実施形態による表示装置の断面図。
【図２】同第１実施形態による下側筐体を取り除いた状態の表示装置の要部背面図。
【図３】本発明の第２実施形態による表示装置の要部断面図。
【図４】従来技術による表示装置の断面図。
【発明を実施するための形態】
【００１１】
（第１実施形態）以下、図１、図２に基づいて、本発明の表示装置を建設機械等の車両に搭載された表示装置に適用した一実施形態を説明する。
【００１２】
図１、図２において、本実施形態における表示装置は、例えば建設機械のキャビン内に設置されており、車両情報やカメラ画像等の所定情報を表示するディスプレイとしての表示手段１０と、この表示手段１０の背後側に配置され、表示手段１０の制御を行う制御手段（図示せず）が配設された回路基板２０と、この回路基板２０が固定されるケース体３０と、表示手段１０の前方側に配置されるタッチパネル４０と、このタッチパネル４０を覆う上側筐体５０と主に回路基板２０の背後側を覆う下側筐体６０とでなる筐体７０とを備えている。
【００１３】
表示手段１０は、例えばＴＦＴ型の液晶表示パネルを適用することができ、前記所定情報を視覚情報として表示するものである。この場合、表示手段１０は、後述する第１のフレキシブル配線板を用いて回路基板２０に備えられる後述する第１のコネクタと電気的に接続されている。
【００１４】
回路基板２０は、所定の配線パターンが施された硬質の配線基板からなり、表示手段１０の表示制御を行うマイクロコンピュータ等からなる前記制御手段と、抵抗、コンデンサ等の各種回路部品（図示せず）と、第１のコネクタ２１と、第２のコネクタ２２とが前記配線パターンに導通接続されている。
【００１５】
そして、この場合、表示手段１０と回路基板２０の背面に実装（配設）される第１のコネクタ２１とは、第１のフレキシブル配線板（第１の配線部材）Ｆ１によって電気的に接続される。換言すると、第１のフレキシブル配線板Ｆ１は、表示手段１０と第１のコネクタ２１と電気的に接続するための配線部材からなる。
【００１６】
また、タッチパネル４０と第１のコネクタ２１に隣接するように回路基板２０の背面に配設（実装）される第２のコネクタ２２とは、第２のフレキシブル配線板（第２の配線部材）Ｆ２によって電気的に接続される。つまり、この場合、第２のフレキシブル配線板Ｆ２は、タッチパネル４０と第２のコネクタ２２と電気的に接続するための配線部材からなり、その引き回し方向は第１のフレキシブル配線板Ｆ１と同一方向となっている。
【００１７】
２３は、回路基板２０の表裏を貫通するように形成された貫通孔からなる貫通孔部であり、この貫通孔部２３は、例えば回路基板２０において第１のコネクタ２１の実装箇所にある程度、近い位置に設けられ、表示手段１０から第１のコネクタ２１へと引き回し配設される第１のフレキシブル配線板Ｆ１の一部が貫通（挿通）するように構成される。
【００１８】
なお、本例における第１のフレキシブル配線板Ｆ１は、その表示手段１０側に位置する一端側が表示手段１０の周縁部分にて折り曲げられて引き回され、当該一端側とは反対側となる第１のフレキシブル配線板Ｆ１における他端側の手前部分にて回路基板２０とケース体３０との間の間隙、並びに貫通孔部２３を通過するように引き回され、さらに第１のコネクタ２１側となる前記他端側は回路基板２０の背面側に沿うように引き回される。
【００１９】
ケース体３０は、例えば強度のあるアロイ材によって形成され、その背面側には回路基板２０がネジ等の適宜固定手段を用いて固定される。
【００２０】
タッチパネル４０は、例えば透明な合成樹脂シートにオペレータ（利用者）のタッチ操作に応じて操作信号を出力する電極を形成する透明体であり、表示手段１０の表示画面１１上に重ねて配置され、例えば抵抗膜方式や静電容量方式等のタッチパネルを適用することができる。
【００２１】
また、この場合、タッチパネル４０と回路基板２０の端部に実装された第２のコネクタ２２とを、上述した第２のフレキシブル配線板Ｆ２によって電気的に接続するにあたって、タッチパネル４０から第２のコネクタ２２へと引き回し配設される第２のフレキシブル配線板Ｆ２は、回路基板２０を避ける（迂回する）ように引き回し配設される。
【００２２】
具体的には、本例における第２のフレキシブル配線板Ｆ２は、そのタッチパネル４０側に位置する一端側がタッチパネル４０の周縁部分にて折り曲げられて引き回され、また第２のコネクタ２２側となる第２のフレキシブル配線板Ｆ２の他端側は回路基板２０の背面側に引き回される。なお、タッチパネル４０と表示手段１０とを例えば光硬化型の透明樹脂（図示せず）によって接合してもよい。
【００２３】
上側筐体５０は、例えば硬質の無機ガラスによって形成された透視部５１と、遮光性（例えば黒色）の合成樹脂材料によって形成された不可視部５２とを備え、表示手段１０を視認する視認者は透視部５１及びタッチパネル４０を通じて前記所定情報を透視（視認）することができるようになっている。また、不可視部５２は、透視部５１の周囲を囲むように略枠状に形成されている。なお、オペレータによるタッチパネル４０のタッチ操作範囲外となる透視部５１の背面側周縁に装飾用の着色印刷層（図示せず）を施してもよい。
【００２４】
下側筐体６０は、例えば合成樹脂材料によって形成され、表示手段１０と回路基板２０とケース体３０とを収容するものであり、回路基板２０の背後を覆う底壁部６１と、上側筐体５０の不可視部５２と対をなすように設けられる側壁部６２とが一体形成された構成となっている。なお、上側筐体５０（不可視部５２）と下側筐体６０とは、ネジ等の適宜固定手段を用いて固定される。
【００２５】
以上のように本実施形態では、所定情報を表示する表示手段１０と、この表示手段１０の表示画面１１上に重ねて配置されるタッチパネル４０と、表示手段１０の背後側に配置される回路基板２０と、この回路基板２０に実装（配設）される第１のコネクタ２１と、この第１のコネクタ２１に隣接するように回路基板２０に実装（配設）される第２のコネクタ２２と、表示手段１０と第１のコネクタ２１とを接続するための第１のフレキシブル配線板Ｆ１と、タッチパネル４０と第２のコネクタ２２とを接続するための第２のフレキシブル配線板Ｆ２とを備え、回路基板２０には、表示手段１０から第１のコネクタ２１へと引き回し配設される第１のフレキシブル配線板Ｆ１の一部が貫通する貫通孔部２３が設けられ、タッチパネル４０から第２のコネクタ２２へと引き回し配設される第２のフレキシブル配線板Ｆ２は、回路基板２０を避けるように引き回し配設されることにより、第１のコネクタ２１と第２のコネクタ２２は回路基板２０に集中的に実装される構成となるため、従来のように回路基板２０のデッドスペース（コネクタ実装エリア）が必要以上に広範囲となるのを抑制し、当該コネクタ実装エリアを最小限とする（節約する）ことができる。従って、このコネクタ実装エリアの節約に伴い回路基板の小型化を実現することが可能となり、コスト上昇を抑制することが可能な表示装置を提供することができる。
【００２６】
（第２実施形態）次に、本発明の第２実施形態を図３に基づいて説明するが、前述の第１実施形態と同一もしくは相当個所には同一の符号を用いてその詳細な説明は省略する。この第２実施形態においては、前記第１実施形態にて採用したタッチパネル４０を廃止するとともに、表示手段１０をバックライト照明するための照明手段８０を採用した構成となっている。
【００２７】
この照明手段８０は、透光性合成樹脂材料によって形成された平板状の導光体８１と、導光体８１（表示手段１０）に照明光を供給するためのＬＥＤからなる光源８２が実装（配設）された光源基板８３とを備えている。
【００２８】
導光体８１は、その一側面８１ａが光源８２の発光面と向かい合うように、表示手段１０とケース体３０との間に位置している。また、光源基板８３は、回路基板２０と直交する位置関係となるように、適宜固定手段を用いてケース体３０に固定される。
【００２９】
そして、この場合、光源基板８３に実装された光源用コネクタ８４と第１のコネクタ２１とが第１のフレキシブル配線板Ｆ１によって電気的に接続されているとともに、表示手段１０と第２のコネクタ２２とが第２のフレキシブル配線板Ｆ２によって電気的に接続されている。
【００３０】
換言すると、本第２実施形態においては、光源用コネクタ８４（光源基板８３）と第１のコネクタ２１とを接続するための第１の配線部材としての第１のフレキシブル配線板Ｆ１と、表示手段１０と第２のコネクタ２２とを接続するための第２の配線部材としての第２のフレキシブル配線板Ｆ２とを備えている構成となっている。
【００３１】
そして、回路基板２０には、光源用コネクタ８４（光源基板８３）から第１のコネクタ２１へと引き回し配設される第１のフレキシブル配線板Ｆ１の一部が貫通する貫通孔部２３が設けられ、表示手段１０から第２のコネクタ２２へと引き回し配設される第２のフレキシブル配線板Ｆ２は、回路基板２０を避けるように引き回し配設されている。
【００３２】
具体的には、本第２実施形態における第１のフレキシブル配線板Ｆ１は、その光源用コネクタ８４側（光源基板８３側）に位置する一端側が光源基板８３の板面方向に沿うように引き回され、その中間部分が回路基板２０とケース体３０との間の間隙、並びに貫通孔部２３を通過するように引き回され、さらに第１のコネクタ２１側となる第１のフレキシブル配線板Ｆ１の他端側は回路基板２０の背面側に沿うように引き回される。
【００３３】
また本第２実施形態における第２のフレキシブル配線板Ｆ２は、その表示手段１０側に位置する一端側が表示手段１０の周縁部分にて折り曲げられて引き回され、また第２のコネクタ２２側となる第２のフレキシブル配線板Ｆ２の他端側は回路基板２０の背面側に引き回される。
【００３４】
以上のように本第２実施形態によれば、回路基板２０には、光源用コネクタ８４（光源基板８３）から第１のコネクタ２１へと引き回し配設される第１のフレキシブル配線板Ｆ１の一部が貫通する貫通孔部２３が設けられ、表示手段１０から第２のコネクタ２２へと引き回し配設される第２のフレキシブル配線板Ｆ２は回路基板２０を避けるように引き回し配設されていることにより、第１のコネクタ２１と第２のコネクタ２２は回路基板２０に集中的に実装される構成となるため、従来のように回路基板２０のデッドスペース（コネクタ実装エリア）が必要以上に広範囲となるのを抑制し、当該コネクタ実装エリアを最小限とする（節約する）ことができる。従って、このコネクタ実装エリアの節約に伴い回路基板の小型化を実現することが可能となり、コスト上昇を抑制することが可能な表示装置を提供することができる。
【００３５】
なお、本発明は、上述の実施形態及び図面によって限定されるものではない。本発明の要旨を変更しない範囲で、適宜、実施形態及び図面に変更（構成要素の削除も含む）を加えることが可能である。
【００３６】
例えば前記第１実施形態では、第１のフレキシブル配線板Ｆ１によって表示手段１０と第１のコネクタ２１とが電気的に接続され、第２のフレキシブル配線板Ｆ２によってタッチパネル４０と第２のコネクタ２２とが電気的に接続される例について説明したが、例えば第２のフレキシブル配線板Ｆ２によって表示手段１０と第２のコネクタ２２とが電気的に接続されるとともに、第１のフレキシブル配線板Ｆ１によってタッチパネル４０と第１のコネクタ２１とが電気的に接続される構成とした場合であっても、前記第１実施形態と同様の作用効果を得ることができる。
【００３７】
つまり、この場合、タッチパネル４０と第１のコネクタ２１とを接続するための第１のフレキシブル配線板Ｆ１と、表示手段１０と第２のコネクタ２２とを接続するための第２のフレキシブル配線板Ｆ２とを備え、回路基板２０には、タッチパネル４０から第１のコネクタ２１へと引き回し配設される第１のフレキシブル配線板Ｆ１の一部が貫通する貫通孔部２３が設けられ、表示手段１０から第２のコネクタ２２へと引き回し配設される第２のフレキシブル配線板Ｆ２は、回路基板２０を避けるように引き回し配設される構成となる。
【００３８】
さらに前記第２実施形態では、第１のフレキシブル配線板Ｆ１によって光源用コネクタ８４（光源基板８３）と第１のコネクタ２１とが電気的に接続され、第２のフレキシブル配線板Ｆ２によって表示手段１０と第２のコネクタ２２とが電気的に接続される例について説明したが、例えば第２のフレキシブル配線板Ｆ２によって光源用コネクタ８４（光源基板８３）と第２のコネクタ２２とが電気的に接続されるとともに、第１のフレキシブル配線板Ｆ１によって表示手段１０と第１のコネクタ２１とが電気的に接続される構成とした場合であっても、前記第２実施形態と同様の作用効果を得ることができる。
【００３９】
つまり、この場合、表示手段１０と第１のコネクタ２１とを接続するための第１のフレキシブル配線板Ｆ１と、光源用コネクタ８４（光源基板８３）と第２のコネクタ２２とを接続するための第２のフレキシブル配線板Ｆ２とを備え、回路基板２０には、表示手段１０から第１のコネクタ２１へと引き回し配設される第１のフレキシブル配線板Ｆ１の一部が貫通する貫通孔部２３が設けられ、光源用コネクタ８４（光源基板８３）から第２のコネクタ２２へと引き回し配設される第２のフレキシブル配線板Ｆ２は、回路基板２０を避けるように引き回し配設される構成となる。
【符号の説明】
【００４０】
１０    表示手段
１１    表示画面
２０    回路基板
２１    第１のコネクタ
２２    第２のコネクタ
２３    貫通孔部
３０    ケース体
４０    タッチパネル
５０    上側筐体
５１    透視部
５２    不可視部
６０    下側筐体
６１    底壁部
６２    側壁部
７０    筐体
８０    照明手段
８１    導光体
８２    光源
８３    光源基板
８４    光源用コネクタ
Ｆ１    第１のフレキシブル配線板（第１の配線部材）
Ｆ２    第２のフレキシブル配線板（第２の配線部材）
【図１】
2016057668.tif 000003
【図２】
2016057668.tif 000004
【図３】
2016057668.tif 000005
【図４】
2016057668.tif 000006